(57)【要約】【課題】  排水管の着脱が容易であり、かつ、予期せぬ周方向の力がかかった際も、フランジ部材を固定している締結ナットが緩まない排水管接続装置を提供すること。【解決手段】  排水口と排水管とを接続する排水管接続装置であって、排水口と接続されるフランジ部材と、フランジ部材に螺合し排水口の下端に当接する位置で、フランジ部材を排水口に締結する締結ナットと、締結ナットに接続され、フランジ部材と排水管とを間接的に接続させる接続部材と、を備え、接続部材の内周面および締結ナットの外周面のいずれか一方には突起部が、他方にはガイド溝が、形成されており、ガイド溝は、突起部のロック位置である水平ガイド部と、突起部を受け入れ、水平ガイド部に案内する導入ガイド部と、突起部を水平ガイド部に拘束するロック部と、を有し、水平ガイド部は、接続部材および締結ナットのいずれか他方の全周にわたって周設されていることを特徴とする排水管接続装置。【選択図】  図３
2018066170.tif 000002
【特許請求の範囲】
【請求項１】
ボウル部の底面に形成された排水口と前記排水口より下流側に位置する排水管とを接続する排水管接続装置であって、
前記排水口の上方から挿入され、前記排水口と接続されるフランジ部材と、
前記フランジ部材に前記排水口の下方から螺合し前記排水口の下端に当接する位置で、前記フランジ部材を前記排水口に締結する締結ナットと、
前記締結ナットの外周面に接続され、前記フランジ部材と前記排水管とを間接的に接続させる接続部材と、
を備え、
前記接続部材の内周面および前記締結ナットの外周面のいずれか一方には突起部が、他方には前記突起部を受け入れるガイド溝が、形成されており、
前記ガイド溝は、前記突起部のロック位置である水平ガイド部と、前記突起部を受け入れ、前記水平ガイド部に案内する導入ガイド部と、前記水平ガイド部と前記導入ガイド部との間にあり、前記突起部を前記水平ガイド部に拘束するロック部と、を有し、
前記水平ガイド部は、前記接続部材の内周面および前記締結ナットの外周面のいずれか他方の全周にわたって周設されたことを特徴とする排水管接続装置。
【請求項２】
前記接続部材に前記突起部が設けられ、
前記締結ナットに前記ガイド溝が設けられており、
前記接続部材は、前記接続部材を押圧することで、前記ロック部による前記突起部の拘束が解除可能となり、前記突起部を前記水平ガイド部から前記導入ガイド部へ移動させることができることを特徴とする請求項１記載の排水管接続装置。
【請求項３】
前記接続部材の外周には、前記突起部から略９０度の位置に、前記押圧の目印となる接続部材側表示部が設けられていることを特徴とする請求項２記載の排水管接続装置。
【請求項４】
前記締結ナットには、前記接続部材に設けられた前記突起部が前記締結ナットに設けられた前記ガイド溝における前記水平ガイド部と前記導入ガイド部との境界に位置したことを認識させるための締結ナット側表示部が設けられていることを特徴とする請求項３記載の排水管接続装置。
【発明の詳細な説明】
【技術分野】
【０００１】
本発明は、ボウル部の排水口と排水口より下流側に位置する排水管とを接続する排水管接続装置に関する。
【背景技術】
【０００２】
従来、特許文献１のように、排水口の内周面とフランジ部材の先端面とを当接させることで、その隙間をなくし、排水口の下方からフランジ部材に螺合する締結ナットによって、排水口にフランジ部材を接続する排水管接続装置が知られている。これによって、隙間に堆積した水垢やゴミなどが原因で悪臭や黒ずみの発生を抑制できる。
しかし、この排水管接続装置の場合、排水口の内径の寸法誤差により、フランジ部材の先端面が排水口の先端面と当接する位置が変わり、フランジ部材の排水口に対する取付位置が上下してしまう。フランジ部材の取付位置が上下すると、フランジ部材に下方から接続されている排水管の取付位置も上下に変わり、排水管より下方にある領域の大きさが製品毎に増減してしまうという問題がある。例えば、ボウル部の下方にキャビネットを有する洗面化粧台の場合、排水管は、キャビネット内に設置されるため、排水管より下方にある領域の大きさが製品毎に増減してしまうと物品収容領域の大きさが増減してしまうという問題がある。また、例えば、排水栓の下方にワイヤーを接続させ、操作部の操作によってワイヤーを駆動させることで排水栓を上下駆動させる、遠隔操作式の排水栓装置であった場合、排水管の取付位置も上下に変わることにより排水管の内部に設置されるワイヤー固定部も上下してしまい、排水栓がうまく上下できず、排水栓による排水口の開閉に不具合が生じるという問題がある。
【０００３】
この問題を解決するために、排水口の下方からフランジ部材に螺合し、排水口の下端に当接する位置で、フランジ部材を排水口に締結する締結ナットに、接続部材を接続することで、排水管とフランジ部材とを間接的に接続する排水管接続装置が考えられる。この排水管接続装置の場合、締結ナットは、フランジ部材を排水口に取り付ける際に、排水口の下面と当接する位置に必ずくるので、フランジ部材の固定取付位置が上下しても、排水管が上下することがなく、排水管の上下方向の取付位置が常に一定位置になる。
【０００４】
また、特許文献２には、締結ナットの外周面および接続部材の内周面のいずれか一方にガイド溝を、他方に突起部を設け、ガイド溝の導入ガイド部に突起部を差込み、ガイド溝のロック位置まで、移動させることで、フランジ部材に排水管を取り付ける排水管接続装置が開示されている。
このような排水管接続装置では、螺合接続を使わず簡単に締結ナットと接続部材とを接続することができ、手元の見えにくいような位置にある排水管の場合でも、排水管の取り付け及び取り外しを容易に行うことができる。
【先行技術文献】
【特許文献】
【０００５】
【特許文献１】特開２０１２−１１２２２９号公報
【特許文献２】特開２０１３−１４４８９８号公報
【発明の概要】
【発明が解決しようとする課題】
【０００６】
しかしながら、上述した特許文献１の解決策の排水管接続装置に特許文献２の排水管接続装置を組み合わせた排水管接続装置の場合、フランジ部材に排水管が接続された状態のときに、接続部材に予期せぬ周方向の力がかかると、その周方向の力により、接続部材が回転するのと同時に締結ナットも回転していまい、フランジ部材の固定が緩んでしまうという問題があった。
【０００７】
本発明は、上記の課題を解決するためのものであり、本発明の目的は、排水管の着脱が容易であり、かつ、接続部材に予期せぬ周方向の力がかかった際に、フランジ部材を固定している締結ナットが緩まない排水管接続装置を提供することである。
【課題を解決するための手段】
【０００８】
上記目的を達成するために、本請求項１に係る発明の排水管接続装置は、ボウル部の底面に形成された排水口と前記排水口より下流側に位置する排水管とを接続する排水管接続装置であって、前記排水口の上方から挿入され、前記排水口と接続されるフランジ部材と、前記フランジ部材に前記排水口の下方から螺合し、前記排水口の下端に当接する位置で、前記フランジ部材を前記排水口に締結する締結ナットと、前記締結ナットの外周面に接続され、前記フランジ部材と前記排水管とを間接的に接続させる接続部材と、を備え、前記接続部材の内周面および前記締結ナットの外周面のいずれか一方には突起部が、他方には前記突起部を受け入れるガイド溝が、形成されており、前記ガイド溝は、前記突起部のロック位置である水平ガイド部と、前記突起部を受け入れ、前記水平ガイド部に案内する導入ガイド部と、前記水平ガイド部と前記導入ガイド部との間にあり、前記突起部を前記水平ガイド部に拘束するロック部と、を有し、前記水平ガイド部は、前記接続部材の内周面および前記締結ナットの外周面のいずれか他方の全周にわたって周設されたことを特徴とする。
【０００９】
本請求項１に係る発明の排水管接続装置によれば、突起部は、導入ガイド部に差込まれ、導入ガイド部に沿ってロック位置である水平ガイド部に導かれる。そして、突起部は、水平ガイド部において、ロック部によって水平ガイド部に拘束される。このように、突起部とガイド溝によって、接続部材は、締結ナットの外周面に接続されて、フランジ部材と排水管とを間接的に接続させるので、螺合接続のように締結ナットに対して、接続部材を何周も回転させる必要がなく、螺合接続と比べて、締結ナットに接続部材を簡単に接続でき、排水管の取り付けが容易である。
また、ガイド溝の水平ガイド部は、接続部材の内周面および締結ナットの外周面のいずれか他方の全周にわたって周設されているので、突起部がロック部によって水平ガイド部に拘束されている際に接続部材に予期せぬ周方向の力がかかった場合でも、突起部がロック部によって水平方向への移動を阻害されることなく水平ガイド部に沿って移動することで、接続部材は周方向に回転可能になっている。そのため、接続部材に予期せぬ周方向の力がかかった際に、フランジ部材と締結ナットとの螺合接続が緩みにくくなっている。
【００１０】
本請求項２に係る発明の排水管接続装置は、前記接続部材に前記突起部が設けられ、前記締結ナットに前記ガイド溝が設けられており、前記接続部材は、前記接続部材を押圧することで、前記ロック部による前記突起部の拘束が解除可能となり、前記突起部を前記水平ガイド部から前記導入ガイド部へ移動させることができることを特徴とする。
【００１１】
本請求項２に係る発明の排水管接続装置によれば、接続部材を取り外す際に、押圧という簡単な操作をするだけで、ロック部による突起部の拘束が解除可能となり、突起部を水平ガイド部から導入ガイド部へ移動させることができるので、締結ナットから接続部材を接続解除することが容易で、排水管が取り外し易い。
【００１２】
本請求項３に係る発明の排水管接続装置は、前記接続部材の外周には、前記突起部から略９０度の位置に、前記押圧の目印となる接続部材側表示部が設けられていることを特徴とする。
【００１３】
本請求項３に係る発明の排水管接続装置によれば、突起部を水平ガイド部から導入ガイド部へ移動させるための押圧位置に適した位置が一目で分かり、締結ナットから接続部材を接続解除することが容易で、排水管が取り外し易い。
【００１４】
本請求項４に係る発明の排水管接続装置は、前記締結ナットには、前記接続部材に設けられた前記突起部が前記締結ナットに設けられた前記ガイド溝における前記水平ガイド部と前記導入ガイド部との境界に位置したことを認識させるための締結ナット側表示部が設けられていることを特徴とする。
【００１５】
本請求項４に係る発明の排水管接続装置によれば、締結ナット側表示部があることにより、接続部材と締結ナットとの接続を解除する際には、締結ナット側表示部によって、接続部材の突起部を水平ガイド部から導入ガイド部へ移動させるのに適した位置に配置させやすくなるため、接続部材がさらに接続解除しやすく、排水管を取り外し易い。
【発明の効果】
【００１６】
本発明によれば、排水管の着脱が容易であり、かつ、予期せぬ周方向の力がかかった際も、フランジ部材を固定している締結ナットが緩まない排水管接続装置を提供することができる。
【図面の簡単な説明】
【００１７】
【図１】本発明の実施形態における洗面台を備えた洗面化粧台の正面図である。
【図２】図１の洗面化粧台を示す側面断面図である。
【図３】図２における排水口の近傍を示す拡大図である。
【図４】締結ナットと接続部材の詳細を示す斜視図である。
【発明を実施するための形態】
【００１８】
図１は、本発明の実施形態における洗面台を備えた洗面化粧台の正面図である。図２は、図１の洗面化粧台を示す側面断面図である。図３は、図２における排水口の近傍を示す拡大図である。図４は、図３におけるフランジ部材の近傍を示す拡大図である。
【００１９】
本発明の排水管接続装置は、洗面台１００に用いられている。
図１、２に表されるように、本実施形態にかかる洗面台１００は、洗面化粧台１に取り付けられている。
洗面化粧台１は、キャビネット２００の上方に設けられた洗面台１００と、洗面台１００の上方に設けられた化粧鏡３００と、を備える。
【００２０】
なお、本願明細書において、「上方」、「下方」、「右方」および「左方」という記載は、洗面化粧台１の前で洗面化粧台１を見た人を基準とした上、下、右および左をそれぞれいう。また、本願明細書においては、洗面化粧台１から、洗面化粧台１の前に居る人へ向かう方向を「前方」方向とし、その逆方向を「後方」方向とする。
【００２１】
洗面台１００は、ボウル部１１０と、ボウル部１１０に吐水を行う水栓装置１２０と、ボウル部１１０の底面１１１に形成された排水口１３０と、を有する。
ボウル部１１０の底面１１１は、排水口１３０に向かって下方に傾斜した排水勾配が形成されている。
また、ボウル部１１０の底面１１１と排水口１３０とは、一体で成形されているため、段差が無く汚れのたまりにくくなっている。
【００２２】
排水口１３０の上方には、排水栓１４０が設けられている。排水栓１４０は、排水口１３０に常設されており、上下方向に昇降することにより排水口１３０を開閉することができる。
【００２３】
水栓装置１２０は、ボウル部１１０の上面後方に設けられている。
水栓装置１２０は、吐水部１２１と、操作レバー１２２とを有する。吐水部１２１は、ボウル部１１０に洗浄水を吐出する。具体的に説明すると、水栓装置１２０は、図示しない開閉弁を介して給水源に接続されている。洗浄水は、水栓装置１２０の操作部である操作レバー１２２への手動操作により開閉弁が開状態となった際に、吐水部１２１からボウル部１１０に吐出される。
【００２４】
図３に表したように、排水口１３０は、ボウル部１１０の底面１１１の一部が下方に凹んだ筒状に形成されている。
排水口１３０の内周面１３１は、上方から下方に向かい滑らかに傾斜し、徐々に絞られて形成されている。つまり、内周面１３１の上端よりも、内周面１３１の下端の半径のほうが狭くなっている。
【００２５】
排水口１３０には、筒状のフランジ部材１５０がナット状の締結ナット１６０によって、固定されている。フランジ部材１５０の下部には、排水管１７０が取り付けられている。
なお、この排水管１７０は、建築躯体内に設けられている「排水配管」でなくとも、例えば、排水口より下流側に設けられる「テールピース」や「排水トラップ」でもよい。
フランジ部材１５０と排水管１７０との間は、環状パッキン１７１によって、止水されている。
排水管１７０の外周面には、取り付けリング１７２で固定された接続部材１８０が取り付けられており、周方向に回転可能になっている。
フランジ部材１５０と排水管１７０とは、接続部材１８０が、締結ナット１６０に接続されることで取り付けられる。つまり、接続部材１８０は、フランジ部材１５０と排水管１７０とを間接的に接続し排水口１３０に対する取付位置を規定している。なお、取付位置とは、排水口１３０に対する上下方向の位置のことである。
【００２６】
フランジ部材１５０は、その上部から半径方向に拡大して形成されたフランジ部１５１と、フランジ部１５１の先端面１５１ａから径方向内側に凹み周設された溝１５２と、を有する。なお、先端面１５１ａとは、例えばフランジ部１５１の外周面であって排水口１３０の内周面に当接する面のことを指す。
【００２７】
溝１５２には、排水口１３０とフランジ部材１５０との間を止水する環状パッキンとしてＯリング１５３が取り付けられている。
なお、本実施形態においては、環状パッキンとして、断面が円形のＯリングが用いられているが、これに限らず、Ｘリングなどの他の断面形状のものでもよい。
【００２８】
フランジ部材１５０は、排水口１３０の上方から挿入され、排水口１３０に固定される。
排水口１３０に固定された状態では、フランジ部材１５０のフランジ部１５１の先端面１５１ａは、排水口１３０の内周面１３１と当接している。
また、フランジ部１５１より下方のフランジ部材１５０の外周面１５０ａには、締結ナット１６０と螺合するためにネジ溝が設けられている。
【００２９】
締結ナット１６０は、円筒状のナットであり、フランジ部材１５０の上下方向の位置を固定している。締結ナット１６０は、その内周面がネジ加工されており、フランジ部材１５０の周面に形成されたネジ溝と螺合されている。また、締結ナット１６０は、排水口１３０の下面１３２と当接される位置まで、フランジ部材１５０と螺合されている。
この際、排水口１３０と締結ナット１６０との間には、図示されないスリップワッシャーが設けられている。
締結ナット１６０の外周面には、ガイド溝１６１が設けられている。
締結ナット１６０に接続部材１８０が接続される際は、接続部材１８０の内周面に設けられた突起部１８１が、ガイド溝１６１に挿入され拘束される。詳細については、後述する。
【００３０】
排水管１７０の内部には、排水栓１４０を上下させる排水栓操作部１７３が設けられている。
排水栓操作部１７３は、ワイヤ（図示なし）を介して操作ボタン（図示なし）に接続されており、使用者が操作ボタンを押すと、それに連動して上下し、排水栓１４０を上下させる。
【００３１】
排水管１７０は、排水口１３０への取付位置が常に同じ位置である締結ナット１６０と接続部材１８０とが接続されることで、フランジ部材１５０への取付位置が決まる。したがって、フランジ部材１５０の内周面１３１への取付位置が変わった場合でも、常に同じ取付位置に排水管１７０を取り付けることができる。そのため、排水管１７０の下方の領域を圧迫しない。
また、常に同じ取付位置に排水管１７０を取り付けできるため、排水管１７０の内部に設置される排水栓操作部１７３が上下せず、排水栓１４０による排水口１３０の開閉を円滑に行うことができる。
【００３２】
次に、図４を用いて、締結ナットと、接続部材の詳細について説明を行う。
図４は、締結ナットと接続部材の詳細を示す斜視図である。
【００３３】
締結ナット１６０は、接続部材１８０の内周面に形成された突起部１８１を差込可能なガイド溝１６１を有する。
ガイド溝１６１は、突起部１８１のロック位置である水平ガイド部１６１ａと、突起部１８１を受け入れ、受け入れた突起部１８１その溝に沿って水平ガイド部１６１ａに案内する導入ガイド部１６１ｂと、突起部１８１を水平ガイド部１６１ａに拘束するロック部とを、有する。
本実施形態においては、このロック部は、ガイド溝１６１の底面を部分的に浅くする段部１６１ｃで構成されている。
水平ガイド部１６１ａは、段部１６１ｃより奥のガイド溝１６１に形成され、突起部１８１が周方向に移動可能なように締結ナット１６０の外周面の全周に周設されている。
導入ガイド部１６１ｂは、ガイド溝１６１の解放端からガイド溝１６１の解放端から段部１６１ｃの間に形成され、ガイド溝１６１に受け入れた突起部１８１を斜め上向きに案内する。
換言すると、段部１６１ｃは、水平ガイド部１６１ａと導入ガイド部１６１ｂとの境界に位置する。
なお、本発明の一実施形態において、導入ガイド部１６１ｂは、受け入れた突起部１８１を斜め上向きに案内するが、斜め上向きに案内するのではなく、ガイド溝１６１に受け入れた突起部１８１をその溝に沿って水平ガイド部１６１ａまで案内するように形成されているものであれば良い。
【００３４】
また、締結ナット１６０の外周面には、段部１６１ｃの上方に、段部位置表示部１６１ｄ（締結ナット側表示部）が設けられている。
段部位置表示部１６１ｄは、ガイド溝１６１上方の締結ナット１６０の外周面に設けられており、接続部材１８０が取り付けられた際も、接続部材１８０で段部位置表示部１６１ｄが隠れず、水平ガイド部１６１ａと導入ガイド部１６１ｂの境界である段部１６１ｃの位置が分かるようになっている。
【００３５】
接続部材１８０は、可とう性のある樹脂性の材料で成形されており、押圧により、その外形が弾性変形する。この弾性変形を利用して接続部材１８０と締結ナット１６０との接続を解除する。接続部材１８０の接続解除の方法の詳細は、後述する。
接続部材１８０の外周面には、突起部１８１から略９０度の位置に、押圧表示部１８２が設けられている。なお、略９０度とは、８０度〜１００度の角度のことを指す。
また、接続部材１８０は、突起部１８１の設けられた位置の外周面に突起部位置表示部１８３が設けられている。
そのため、使用者は、接続部材１８０の内周面に設けられた突起部１８１を見ることなく、突起部位置表示部１８３を見ることで、突起部１８１の位置が分かるようになっている。
【００３６】
接続部材１８０を締結ナット１６０に接続する際は、突起部１８１を導入ガイド部１６１ｂに差込み、導入ガイド部１６１ｂに沿って、斜め上方に移動させる。そして、段部１６１ｃの手前において、突起部１８１の頂点が段部１６１ｃを乗り越えるように接続部材１８０に力をかけて、突起部１８１に段部１６１ｃを乗り越えさせ、水平ガイド部１６１ａに突起部１８１を到達させる。こうして、接続部材１８０が締結ナット１６０の外周面に接続される。
接続部材１８０と締結ナット１６０との接続によって、フランジ部材１５０と排水管１７０とを間接的に接続し、フランジ部材に排水管１７０を取り付ける。
【００３７】
また、接続部材１８０と締結ナット１６０との接続を解除する際は、接続部材１８０を回転させ、段部位置表示部１６１ｄと突起部位置表示部１８３の左右位置を合わせる。この際、突起部１８１は、水平ガイド部の溝に沿って周方向に移動し、段部１６１ｃの上方に位置することになる。そして、接続部材１８０の押圧表示部１８２を押しながら接続部材１８０を下方に移動させる。つまり、接続部材１８０を弾性変形させながら下方に移動させることで、突起部１８１に段部１６１ｃを乗り越えさせ、ロック位置である水平ガイド部１６１ａから導入ガイド部１６１ｂに移動させる。さらに、接続部材１８０の突起部１８１を導入ガイド部１６１ｂに沿って、斜め下方に回転させながら移動させ、接続部材１８０と締結ナット１６０との接続を解除する。接続部材１８０と締結ナット１６０との接続が解除されることで、排水管１７０が、フランジ部材から取り外される。
【００３８】
このように、突起部１８１とガイド溝１６１を用いて、接続部材１８０を締結ナット１６０の外周面に接続することで、フランジ部材１５０と排水管１７０とを間接的に接続し、排水管１７０をフランジ部材１５０に取り付けるので、接続部材１８０を周方向に何周も回転させる必要がなく、螺合接続と比べて、簡単に接続部材１８０を締結ナット１６０とを接続でき、排水管１７０の取り付けが容易になる。
【００３９】
また、接続部材１８０を締結ナット１６０に接続する際には、突起部位置表示部１８３が設けられていることにより、突起部１８１の位置を一目で確認することができ、突起部１８１を導入ガイド部１６１ｂの入口に簡単に差込むことができるので、接続をより簡単に行うことができる。
【００４０】
接続部材１８０が締結ナット１６０に接続されている際、突起部１８１は、締結ナット１６０の外周面の全周に周設された水平ガイド部１６１ａに拘束されているので、突起部１８１は、ロック位置である水平ガイド部１６１ａにおいて、上下方向への移動が規制されているが、水平ガイド部１６１ａの溝に沿って周方向には移動可能になっている。そのため、水平ガイド部１６１ａにおいて、接続部材１８０に予期せぬ周方向の力がかかった際に、接続部材１８０が周方向へ回転するので、接続部材１８０の回転に伴って、締結ナット１６０が周方向に回転しにくく、フランジ部材１５０と締結ナット１６０との螺合接続が緩みにくくなっている。
【００４１】
接続部材１８０を締結ナット１６０から接続解除する際は、段部位置表示部１６１ｄが設けられていることにより、接続部材１８０により隠れている段部１６１ｃの位置が一目で分かるので、段部位置表示部１６１ｄに突起部位置表示部１８３を合わせて、突起部１８１を水平ガイド部１６１ａから導入ガイド部１６１ｂへ簡単に移動させることができる。
つまり、接続部材１８０の接続を解除する際に、接続部材１８０を必要以上に回転させて、水平ガイド部１６１ａと導入ガイド部１６１ｂの境界である段部１６１ｃを探すことなく、接続部材１８０を適切な位置にすばやく回転させることができる。
そのため、接続部材１８０の接続を解除が簡単で、排水管１７０の取り外しが容易になる。
また、押圧表示部１８２が突起部から略９０度の位置に設けられているので、突起部１８１を水平ガイド部１６１ａから導入ガイド部１６１ｂへ移動させるために使用者が押圧するのに適した位置が一目で分かり、接続部材１８０の接続解除がさらに簡単で、排水管１７０の取り外しが容易になる。
【００４２】
以上、本発明の実施形態について説明した。しかし、本発明はこれらの記述に限定されるものではなく、例えば、ガイド溝が接続部材の内周面に設けられ、突起部が締結ナットの外周面に設けられたものであってもよい。また、例えば、排水管が、排水口より下流側に設けられる「テールピース」や「排水トラップ」の場合は、排水管と接続部材と一体で形成されたものでもよく、予期せぬ周方向の力がかかった際に、排水管と接続部材と一体となって空転するものでもよい。
【符号の説明】
【００４３】
１…洗面化粧台
１００…洗面台
１１０…ボウル部
１１１…底面
１２０…水栓装置
１２１…吐水部
１２２…操作レバー
１３０…排水口
１３１…内周面
１３２…下面
１４０…排水栓
１５０…フランジ部材
１５１…フランジ部
１５１ａ…先端面
１５２…溝
１５３…Ｏリング
１６０…締結ナット
１６１…ガイド溝
１６１ａ…水平ガイド部
１６１ｂ…導入ガイド部
１６１ｃ…段部
１６１ｄ…段部位置表示部
１７０…排水管
１７１…環状パッキン
１７２…取り付けリング
１７３…排水栓操作部
１８０…接続部材
１８１…突起部
１８２…押圧表示部
１８３…突起部位置表示部
２００…キャビネット
３００…化粧鏡
【図１】
2018066170.tif 000003
【図２】
2018066170.tif 000004
【図３】
2018066170.tif 000005
【図４】
2018066170.tif 000006